(57)【要約】【課題】調理メニューを複数有する炊飯器において、同一の調理メニューが続けて調理される場合にのみ、その調理メニューを記憶することにより、使用者の使用の実態にあった調理メニューを記憶し、操作性を向上する。【解決手段】米や水を入れる鍋１を加熱手段２により加熱し、少なくとも２つの調理メニューを有する制御手段を構成するマイクロコンピュータ３により、選択されている調理メニューの調理シーケンスに従い加熱手段２を制御する。同一の調理メニューを複数回連続で調理するとその調理メニューを記憶するようにする。【選択図】  図１
2004350829.tif 000002
【特許請求の範囲】
【請求項１】
米や水を入れる鍋と、この鍋を加熱する加熱手段と、少なくとも２つの調理メニューを有し選択されている調理メニューの調理シーケンスに従い前記加熱手段を制御する制御手段とを備え、同一の調理メニューを複数回連続で調理するとその調理メニューを記憶するようにした炊飯器。
【請求項２】
米や水を入れる鍋と、この鍋を加熱する加熱手段と、少なくとも２つの調理メニューを有し選択されている調理メニューの調理シーケンスに従い前記加熱手段を制御する制御手段と、調理メニューの記憶要求を行う記憶要求手段とを備え、この記憶要求手段からの要求により選択されている調理メニューを記憶するようにした炊飯器。
【請求項３】
記憶している調理メニューのリセットを要求するリセット要求手段を備え、このリセット要求手段の要求があると記憶している調理メニューを解除し、初期設定の調理メニューの記憶に戻す請求項１または２記載の炊飯器。
【発明の詳細な説明】
【０００１】
【発明の属する技術分野】
本発明は、調理メニューを複数有する炊飯器に関するものである。
【０００２】
【従来の技術】
従来、この種の調理メニューを複数有する炊飯器は、メニュースイッチで希望のメニューを選択し、その後炊飯スイッチを操作することにより、希望の調理を開始するように構成している（例えば、特許文献１参照）。
【０００３】
このとき、調理メニューの中でも「白米」や「玄米」などの特定のメニューでは、そのメニュー選択を記憶するようにしているので、次回の調理時、同じ調理メニューを実施する場合は、記憶されているメニューが初期状態で選択となるようにしていた。また、「すし」や「おかゆ」などの調理時は、それらの記憶を行わなず、調理終了後は記憶されている調理メニューの選択となるようにしていた。
【０００４】
このように、特定の調理メニューのみ記憶するようにしているので、その調理メニューを続けて実施する場合や、または間に記憶されない調理メニューをはさんで実施する場合は、記憶されている調理メニュー選択のためのメニュースイッチの操作が省略できるようにしていた。
【０００５】
【特許文献１】
特開２００２−３６０４２２号公報（第３−１０頁、第２０図）
【０００６】
【発明が解決しようとする課題】
しかしながら、このような従来の構成では、記憶する調理メニューは予め設定されているので、例えば、ほとんど毎日「白米」を調理する習慣がある中で「玄米」を一度調理する場合、それだけで「玄米」が記憶されてしまう。この後「白米」を調理する場合、「玄米」が選択されている状態になっているので、再びメニュースイッチを操作し、「白米」に戻してから調理を開始しなければならなかった。このように、使用者によっては希望しない調理メニューで記憶してしまい、かえって使用しにくくなるという問題を有していた。
【０００７】
また、同じく「玄米」が記憶されている状態で、いつもの習慣どおり「白米」を調理しようとメニュースイッチの操作を省略し調理スタートしてしまった場合、「白米」でスタートするつもりなのに「玄米」で調理スタートしてしまう。このように、使用者によっては希望しない調理メニューで記憶してしまい、その希望しないメニューが記憶されてしまったことを認知せずに、いつもの操作をした場合、意図しない調理メニューで調理してしまうという問題があった。
【０００８】
本発明は上記従来の課題を解決するもので、同一の調理メニューが続けて調理される場合にのみ、その調理メニューを記憶することにより、使用者の使用の実態にあった調理メニューを記憶し、操作性を向上することを目的としている。
【０００９】
【課題を解決するための手段】
本発明は上記目的を達成するために、米や水を入れる鍋を加熱手段により加熱し、少なくとも２つの調理メニューを有する制御手段により選択されている調理メニューの調理シーケンスに従い加熱手段を制御するよう構成し、同一の調理メニューを複数回連続で調理するとその調理メニューを記憶するようにしたものである。
【００１０】
これにより、同一の調理メニューが続けて調理される場合にのみ、その調理メニューを記憶することにより、使用者の使用の実態にあった調理メニューを記憶することができ、操作性を向上することができる。
【００１１】
【発明の実施の形態】
本発明の請求項１に記載の発明は、米や水を入れる鍋と、この鍋を加熱する加熱手段と、少なくとも２つの調理メニューを有し選択されている調理メニューの調理シーケンスに従い前記加熱手段を制御する制御手段とを備え、同一の調理メニューを複数回連続で調理するとその調理メニューを記憶するようにしたものであり、調理メニューが複数回連続で実施されたことから、使用者はこの調理メニューを今後も実施する可能性があるということを推定でき、その調理メニューを記憶することにより、使用者の使用の実態にあった調理メニューを記憶することができ、操作性を向上することができる。
【００１２】
請求項２に記載の発明は、米や水を入れる鍋と、この鍋を加熱する加熱手段と、少なくとも２つの調理メニューを有し選択されている調理メニューの調理シーケンスに従い前記加熱手段を制御する制御手段と、調理メニューの記憶要求を行う記憶要求手段とを備え、この記憶要求手段からの要求により選択されている調理メニューを記憶するようにしたものであり、使用者による要求により調理メニューの記憶することにより、使用者の使用の実態にあった調理メニューを記憶することができる。
【００１３】
請求項３に記載の発明は、上記請求項１または２に記載の発明において、記憶している調理メニューのリセットを要求するリセット要求手段を備え、このリセット要求手段の要求があると記憶している調理メニューを解除し、初期設定の調理メニューの記憶に戻すものであり、使用者の要求により記憶した調理メニューを解除し、初期設定状態にすることができる。
【００１４】
【実施例】
以下、本発明の実施例について、図面を参照しながら説明する。
【００１５】
（実施例１）
図１に示すように、鍋１は米や水など調理物を入れるもので、加熱手段２により加熱される。加熱手段２は誘導コイル２１とインバータ回路２２とで構成し、インバータ回路２２より誘導コイル２１に高周波電流を供給し誘導加熱するようにしている。温度センサ１１は鍋１の温度を検出し、マイクロコンピュータ３に入力している。
【００１６】
マイクロコンピュータ３は、制御手段を構成するもので、炊飯スイッチ５の入力があると、調理を開始し、内部タイマと温度センサ１１との入力値により予め記憶されている調理シーケンスに従い、米に吸水させる浸漬工程、炊き上げを行う炊き上げ工程、炊き上げ後むらしを行うむらし工程の順に実施し、加熱手段２の加熱動作を制御する。メニュースイッチ６は、炊飯スイッチ５を操作する前に操作することで、メニュー選択を任意に変更できるものである。
【００１７】
液晶表示装置４は、マイクロコンピュータ３に接続して表示するもので、図２（ａ）は調理前の待機モードでの表示であり、この状態では、「白米」が選択状態となっており、炊飯スイッチ５を操作すると、「白米」で調理がスタートし、図２（ｂ）に示す表示となる。そして、図２（ａ）の待機モードでメニュースイッチ６を操作すると、メニュー選択モードとなり、図２（ｃ）に示す表示となる。この状態では選択可能な調理メニューをすべてを表示し、かつ選択中の調理メニューが点滅表示している。
【００１８】
最初は「白米」の点滅から始まり、メニュースイッチ６を操作するたびに、「早炊き」「すし」「おかゆ」「玄米」と点滅は推移していく。例えば「白米」選択状態でメニュースイッチ６を４回操作すると「玄米」のみが点滅表示し、他の調理メニューは点灯表示となる。この「玄米」を選択した状態で、メニュースイッチ６を操作すると、メニュー選択は再び「白米」を選択した状態となり、炊飯スイッチ５を操作すると、図２（ｄ）に示す表示となり、「玄米」での調理がスタートする。
【００１９】
このとき、点滅状態だった「玄米」の文字は点灯に変わり、それ以外の調理メニューは消灯することにより、「玄米」で、調理を開始したことが明確に表示できるようにしている。
【００２０】
上記構成において図３および図４のフローチャートを参照しながら動作を説明する。
【００２１】
図３は調理メニュー選択動作のフローチャートである。まず、ステップＳ１で炊飯スイッチ５が操作されたかどうか判定し、操作されたならば調理開始処理となり、操作されていなければ、ステップＳ２へ進む。ステップＳ２では、メニュー選択モードなのかどうかを判定し、メニュー選択モードではないならばステップＳ３へ進み、メニュー選択モードならば、ステップＳ８へ進む。
【００２２】
メニュー選択モードではないと判定されたステップＳ３では、さらにメニュースイッチ６が操作されたかどうか判定し、操作されたならば、ステップＳ５へ進み、操作されていなければステップＳ４へ進む。このステップＳ４では記憶されている調理メニュー、すなわち記憶メニューを液晶表示装置４へ点灯表示を行い、ステップＳ１へと戻る。ここでは記憶メニューとして「白米」が記憶されているとし、図２（ａ）のような表示を行っている。このように、ステップＳ４では待機モードの表示を行っている。
【００２３】
さて、ステップＳ３でメニュースイッチ６が操作されたと判定されるとステップＳ５に進み、待機モードからメニュー選択モードへ移行する準備を行う。ステップＳ５では選択中の調理メニュー、すなわち選択メニューの初期値として、記憶メニューを設定する。ここでは「白米」が記憶されているので、「白米」が選択メニューの初期値となる。続くステップＳ６で待機モードからメニュー選択モードに設定し、ステップＳ７へ進む。ステップＳ７では、全調理メニューを点灯表示し、その中で選択メニューだけを点滅表示する。
【００２４】
このように待機モードでメニュースイッチ６が操作されるとメニュー選択モードへ移行し、さらにメニュー選択モードの表示を行う。この場合、選択メニューの初期値が「白米」なので、図２（ｃ）の表示となる。
【００２５】
ステップＳ２でメニュー選択モードと判定されたならば、ステップＳ８へ進む。ステップＳ８では、メニュースイッチ６が操作されたかどうか判定し、操作されたならばステップＳ９へ進み、操作されていなければステップＳ９をスキップしステップＳ７へ進む。ステップＳ９では、現在の選択メニューを次に進める処理を行う。
【００２６】
本実施例では、「白米」から順に「早炊き」「すし」「おかゆ」「玄米」と進め、「玄米」の次は再び「白米」に戻るので、現在が「白米」だと次は「早炊き」の選択となる。そして、その後、ステップＳ７に進み、前述の通り、メニュー選択モードの表示を行う。
【００２７】
つぎに、ステップＳ１で炊飯スイッチ５が操作されたと判定された後の調理開始処理の動作を図４のフローチャートを用いて説明する。
【００２８】
まず、ステップＳ１０で待機モードから、この処理に入ったのかどうかを判定し、待機モードだったなら選択メニューが未設定なので、続くステップＳ１１で選択メニューとして記憶メニューを設定する。ステップＳ１１の次のステップＳ１２では、今回の選択メニューが前回選択された調理メニューと同一かどうかを判定する。同一であればステップＳ１３に進み、同一でなければ、ステップＳ１６へ進む。
【００２９】
ステップＳ１３では選択メニューが前回と同一だった回数をカウントするカウンタを１加算する。続くステップＳ１４でそのカウンタの値が３回以上かどうかを判定し、３回以上であればステップＳ１５に進み、そうでなければステップＳ１７に進む。ステップＳ１５では選択メニューを記憶メニューに記憶し、ステップＳ１７に進む。
【００３０】
さて、ステップＳ１２で選択メニューが前回選択された調理メニューと同一ではなかった場合、ステップＳ１６に進み、カウンタを０に初期化し、ステップＳ１７に進む。そして、ステップＳ１７では選択メニューのみを点灯表示させ、調理モードをスタートする。例えば「白米」が選択メニューならば、図２（ｂ）のような表示となり、「玄米」ならば図２（ｄ）のような表示となる。
【００３１】
このように、同一の調理メニューが３回連続で調理されたときに、その調理メニューを記憶することができる。記憶された調理メニューは待機モードでメニュースイッチ６を操作することなく、炊飯スイッチ５を操作することで開始することができる。例えば「白米」が記憶されているときに、たまに「玄米」や「おかゆ」などの調理メニューを実施してもその調理メニューは記憶されない。
【００３２】
したがって、「白米」を毎回実施する習慣があるならば、「玄米」や「おかゆ」を実施したあとも、メニュースイッチ６を操作することなく、炊飯スイッチ５を操作するだけで、「白米」を実施することができる。さらに、「おかゆ」を調理する目的で使用を始めるならば、結果「おかゆ」が記憶され、たまに「白米」が実施されても「おかゆ」の記憶は残ったままである。よって、この場合も、毎回メニュースイッチ６を操作することなく、炊飯スイッチ５を操作するだけで「おかゆ」を実施することができる。
【００３３】
なお、本実施例では、カウンタの値を３回としているが、これは２回でも４回でもかまわない。要は２回以上連続で調理されたという判定が行えればよい。
【００３４】
また、本実施例では、選択メニューが前回と同一であるかの判定を調理を始めるタイミングで行っているが、これは調理中や終了時でもかまわない。要は使用者が炊飯スイッチ５を操作し、その選択した調理メニューで調理を始めたという実績が判定できるタイミングであればよい。
【００３５】
また、本実施例では、「白米」のときのみ、調理時間の終了の目安である炊飯残時間を調理開始から表示させるようにし、他の調理メニューでは現在時刻を表示するようにしている。これにより、「白米」とその他の調理メニューで液晶表示装置４の表示の雰囲気が大きく異なり、調理開始直後に「白米」を行おうとしているか、そうではないかを使用者にアピールすることができる。
【００３６】
（実施例２）
図１に示すように、記憶スイッチ７は記憶要求手段を構成するもので、マイクロコンピュータ３に接続し、この記憶スイッチ７の操作があると選択中の調理メニュー、すなわち選択メニューを記憶するようにしている。他の構成は上記実施例１と同じである。
【００３７】
上記構成において図５のフローチャートを参照しながら動作を説明する。なお、ステップＳ１からステップＳ９までの動作は上記実施例１と同じであるので説明を省略する。さらに、ステップＳ１で炊飯スイッチ５が操作され、調理開始処理へ進んだとき、上記実施例１のＳ１２からＳ１７の処理はスキップして動作するものとする。
【００３８】
図５において、ステップＳ８でメニュースイッチ６が操作されたかどうかの判定を行い、操作されていないと判定された後に、ステップＳ２０とステップＳ２１の処理を追加している。ステップＳ２０では、記憶スイッチ７が操作されたかどうかを判定し操作されたならば、続くステップＳ２１で選択メニューを記憶する。
【００３９】
このように、使用者は調理開始前の調理メニューの選択状態で、記憶スイッチ７を操作することにより、任意に調理メニューを記憶することができる。よって、「白米」を使用する習慣があるならば、「白米」選択中に記憶スイッチ７を操作すれば記憶できるので、以降は「白米」を実施する場合、メニュースイッチ６の操作を省略し、炊飯スイッチ５を操作するだけで「白米」を実施できる。
【００４０】
なお、本実施例では、記憶スイッチ７の操作を調理メニューの選択を行うメニュー選択モードで行っているが、これは調理が始まった後、行ってももちろんよい。
【００４１】
（実施例３）
図１に示すように、リセットスイッチ８はリセット要求手段を構成するもので、マイクロコンピュータ３に接続し、このリセットスイッチ８の操作があると記憶している調理メニューを解除し、初期設定の調理メニューに記憶を戻すようにしている。他の構成は上記実施例１と同じである。
【００４２】
上記構成において図６のフローチャートを参照しながら動作を説明する。なお、ステップＳ１からステップＳ９までの動作は上記実施例１と同じであるので説明を省略する。
【００４３】
図６において、ステップ１の炊飯スイッチ５の操作判定の前にステップＳ２２とステップＳ２３の処理を追加している。ステップＳ２２ではリセットスイッチ８が操作されたかどうかを判定し、操作されたならば、続くステップＳ２３で記憶メニューに「白米」を設定する。
【００４４】
このように、使用者は任意に記憶メニューを初期設定状態の調理メニューに戻すことができる。したがって、例えば「おかゆ」が記憶されている状態でも、この記憶スイッチ８の操作により、素早く初期設定である「白米」の記憶に戻すことができる。
【００４５】
【発明の効果】
以上のように本発明の請求項１記載の発明によれば、同一の調理メニューを複数回連続で調理するとその調理メニューを記憶するようにしたから、同一の調理メニューが続けて調理される場合にのみ、その調理メニューを記憶することができ、たまにしか行わない調理メニューを実施しても記憶するのを防ぐことができ、操作性を向上することができる。
【００４６】
また、請求項２に記載の発明によれば、調理メニューの記憶要求を行う記憶要求手段からの要求により選択されている調理メニューを記憶するようにしたから、使用者による要求により調理メニューの記憶することができ、操作性を向上することができる。
【００４７】
また、請求項３に記載の発明によれば、記憶している調理メニューのリセットを要求するリセット要求手段の要求があると記憶している調理メニューを解除し、初期設定の調理メニューの記憶に戻すから、使用者の要求により記憶した調理メニューを解除し、初期設定状態にすることができる。
【図面の簡単な説明】
【図１】本発明の第１の実施例の炊飯器の一部ブロック化した回路図
【図２】（ａ）同炊飯器の液晶表示装置の待機モードの表示を示す図
（ｂ）同炊飯器の液晶表示装置の「白米」での調理モードの表示を示す図
（ｃ）同炊飯器の液晶表示装置のメニュー選択モードの表示を示す図
（ｄ）同炊飯器の液晶表示装置の「玄米」での調理モードの表示を示す図
【図３】同炊飯器の調理メニュー選択の動作フローチャート
【図４】同炊飯器の調理開始処理の動作フローチャート
【図５】本発明の第２の実施例の炊飯器の調理メニュー選択の動作フローチャート
【図６】本発明の第３の実施例の炊飯器の調理メニュー選択の動作フローチャート
【符号の説明】
１  鍋
２  加熱手段
３  マイクロコンピュータ（制御手段）
【図１】
2004350829.tif 000003
【図２】
2004350829.tif 000004
【図３】
2004350829.tif 000005
【図４】
2004350829.tif 000006
【図５】
2004350829.tif 000007
【図６】
2004350829.tif 000008